(57)【要約】      （修正有）【課題】簡易構造であり、滑動時に極限で停止する内管と外管もしくは孔台間の滑動極限停止構造を提供する。【解決手段】内管３の外側管壁に該内管３外に突出した停止塊３０を設置する。該停止塊３０は該内管３もしくは孔台２で滑動して極限位置に到達した時、該停止塊３０は、該孔台２の嵌入口２０外で停止される。それに拠って、該停止塊３０は該内管２と孔台２間の収縮方向で滑動時に極限停止する。【選択図】図２
0003215348.tif 000002
【実用新案登録請求の範囲】
【請求項１】
該内管の一端が、該外管もしくは孔台の嵌入口を経て該外管もしくは孔台内に挿入し、該内管は該外管もしくは孔台内に於いて、相対して滑動する内管と外管もしくは孔台間の滑動極限停止構造において、
該内管の外側管壁には突出した停止塊を設置し、該停止塊は該内管が該外管もしくは孔台端の収縮方向へ滑動して極限に到達した時，該停止塊は該嵌入口の口縁によって止められることを特徴とする内管と外管もしくは孔台間の滑動極限停止構造。
【請求項２】
前記停止塊は、該内管と一体成型であることを特徴とする請求項１記載の内管と外管もしくは孔台間の滑動極限停止構造。
【請求項３】
前記内管が金属管である時、該停止塊はプレス式で該内管的壁から外向きに突出成形することを特徴とする請求項２記載の内管と外管もしくは孔台間の滑動極限停止構造。
【請求項４】
前記停止塊は、ネジ部品によって該内管外壁と径方向にネジ止めすることを特徴とする請求項１記載の内管と外管もしくは孔台間の滑動極限停止構造。
【考案の詳細な説明】
【技術分野】
【０００１】
本考案は、内管と外管もしくは孔台間の滑動極限停止構造に関するもので、特に簡易構造で滑動が極限で制限する効果を達成する内、外管滑動極限停止構造である。
【背景技術】
【０００２】
内管、外管(もしくは孔台)が相互に嵌合すると、それらの間の滑動に拠って、支持する物件の高度、例として扇風機の伸縮支持捍を調整する。該扇風機の支持捍は内管を備え、該内管の最上端は扇風機本体を固定し、底端は外管(もしくは一孔台)内に挿入する。該外管底端は更に底盤を固定して接地しやすくする。もしくは該孔台は複数本のスタンド脚を連接して接地する。該内管は該外管(もしくは孔台)内で滑動し、該扇風機本体の高度を調整する。該内管が無制限に下移動して該内管底端が上述底盤もしくは地板にぶつかるのを防止する。もしくは該内管最上端に連接した扇風機本体が下がって、該外管(もしくは孔台)の嵌入口にぶつかるのを防止する。構造ではすべてにおいて滑動極限制限機構を設置して上述の状況が発生するのを防止する。
【考案の概要】
【考案が解決しようとする課題】
【０００３】
解決しようとする問題点として、公知の滑動極限制限機構は常に該外管もしくは孔台の内部に制限機構を設置することで、該内管滑動を極限で制限するが、構造が複雑であるだけでなく、且つ管上もしくは孔内に設置するのは不便である。
【０００４】
本考案者は、上述の公知の欠点を改善し、本考案が提供された。
【課題を解決するための手段】
【０００５】
本考案は、該内管の外側管壁に該内管外に突出した停止塊を設置する。該停止塊は該内管もしくは外管（孔台）で滑動して極限位置に到達した時、該停止塊は、該外管（孔台）の嵌入口外で停止される。それに拠って、該停止塊は該内管と外管もしくは孔台間の収縮方向で滑動時に極限停止することを最も主要な特徴とする。
【考案の効果】
【０００６】
本考案の内管と外管もしくは孔台間の滑動極限停止構造は、簡易構造であり、滑動時に極限で停止するという利点がある。
【図面の簡単な説明】
【０００７】
【図１】本考案の実施例で、内管と孔台に応用した扇風機スタンド脚の立体図である。
【図２】本考案の実施例で、内管と孔台に応用した扇風機スタンド脚の分解図である。
【図３】本考案の実施例で、内管と孔台に応用した扇風機スタンド脚の組立断面図である。
【図３Ａ】図３のＡ部分拡大図である。
【図４】本考案の実施例で内管と孔台に応用し、扇風機本体を設置した外観図である。
【図５】本考案の実施例で、内、外管に応用した時の構造断面図である。
【図６】本考案の停止塊の別の実施例の応用参考図である。
【考案を実施するための形態】
【０００８】
簡易構造であり、滑動時に極限で停止する効果を達成する内管と外管もしくは孔台間の滑動極限停止構造を提供することを本考案の主な目的とする。
【０００９】
本考案の主な特徴は、該内管の外側管壁に該内管外に突出する停止塊を設置し、該停止塊は、該内管もしくは外管（孔台）滑動して極限位置に到達した時、該停止塊が該外管（孔台）の嵌入口で止められる他に、該停止塊が該内管と外管もしくは孔台間収縮方向に滑動する時の極限停止となる。
【実施例】
【００１０】
本考案の上述目的及び効果を達成に関し、以下に実施例を挙げ、図式と共に以下に説明する。
【００１１】
図１〜図３に示すとおり、本考案の実施例は扇風機スタンド脚１に応用され、孔台２及び内管３を含む。
【００１２】
該孔台２は、中間に嵌入口２０を備え、周辺面等の各位置にはそれぞれ下向きに延びたスタンド脚２１を連接する。該復数のスタンド脚２１は、該孔台２を地面から一定高度持ち上げる。該孔台２の一側には固定装置２２を設置し、該固定装置２２は径方向に延びて該嵌入口２０内に挿入される締着栓２２０（図３）を配置する。
【００１３】
該内管３の一端は、該嵌入口２０を通って該孔台２内に挿入され、別一端は図４に示すとおり、扇風機本体４に連接する。該内管３は、該孔台２内で滑動後の位置で固定し、該締着栓２２０で締めて固定する。
【００１４】
本考案は、該内管３の外側管壁に該内管３外から突出した停止塊３０を設置し、該停止塊３０は該内管３が該孔台２へ滑動して極限位置まで到達した時、該停止塊３０は該孔台２の該嵌入口２０外で停止され、それによって、該停止塊３０は該内管３と該孔台２間が収納方向へ滑動して極限停止（例として図３、３Ａ、４参照）する。
【００１５】
次に、図５に示すとおり、該内管３は外管５と相互に嵌合する。該内管３の一端は、該外管５の嵌入口５０を経て該外管５内に嵌入する。該内、外管３、５両者が収縮方向へ滑動して極限に到達した時、該内管３上の停止塊３０は該外管５の嵌入口５０の口縁にぶつかり、続けて滑動できない。これに拠って、該停止塊３０は該内管３が該外管５の収縮方向へ移動する極限停止となる。
【００１６】
上述の停止塊３０は該内管３と一体成型で設置する。仮に該内管３が金属管ならば、プレス式で該停止塊３０を該内管３的管壁から外向きに突出プレスして成形する。もしくは他に、該内管３管壁に構成して追加設置し、例として図６に示すとおり、ネジ部品３１で該内管３外壁と径方向にネジ固定する。該ネジ部品３１の頭部は即ち、該停止塊３０を構成する。
【００１７】
上述の説明のとおり、本考案は構造が簡単で、且つ如何なる部品も組み立てることなく、内管が滑動して極限で停止する効果を達成する。組立コストが不要なだけでなく、如何なる部品を設置する必要が無いので実用性と進歩性を備える。
【００１８】
上述のとおり、本考案は新規性を備え、且つ実用性と進歩性を備えるため、法令に従い、実用新案登録を申請する。
【符号の説明】
【００１９】
１        扇風機スタンド脚
２        孔台
２０        嵌入口
２１        スタンド脚
２２        固定装置
２２０        締着栓
３        内管
３０        停止塊
３１        ネジ部品
４        扇風機本体
５      外管
５０      嵌入口
【図１】
0003215348.tif 000003
【図２】
0003215348.tif 000004
【図３】
0003215348.tif 000005
【図３Ａ】
0003215348.tif 000006
【図４】
0003215348.tif 000007
【図５】
0003215348.tif 000008
【図６】
0003215348.tif 000009
【手続補正書】
【提出日】平成30年1月4日(2018.1.4)
【手続補正１】
【補正対象書類名】実用新案登録請求の範囲
【補正対象項目名】全文
【補正方法】変更
【補正の内容】
【実用新案登録請求の範囲】
【請求項１】
内管の一端が、外管もしくは孔台の嵌入口を経て該外管もしくは孔台内に挿入し、該内管は該外管もしくは孔台内に於いて、相対して滑動する内管と外管もしくは孔台間の滑動極限停止構造において、
該内管の外側管壁には突出した停止塊を設置し、該停止塊は該内管が該外管もしくは孔台端の収縮方向へ滑動して極限に到達した時，該停止塊は該嵌入口の口縁によって止められることを特徴とする内管と外管もしくは孔台間の滑動極限停止構造。
【請求項２】
前記停止塊は、該内管と一体成型であることを特徴とする請求項１記載の内管と外管もしくは孔台間の滑動極限停止構造。
【請求項３】
前記内管が金属管である時、該停止塊はプレス式で該内管の管壁から外向きに突出成形することを特徴とする請求項２記載の内管と外管もしくは孔台間の滑動極限停止構造。
【請求項４】
前記停止塊は、ネジ部品によって該内管の外壁と径方向にネジ止めすることを特徴とする請求項１記載の内管と外管もしくは孔台間の滑動極限停止構造。